(57)【要約】      （修正有）【課題】航海、陸地又は航空用モバイル電子装置に用いるソーラーモバイル電子装置を提供する。【解決手段】ソーラーモバイル電子装置は、電力供給装置１０及びソーラー給電装置２０を含む。電力供給装置は、第１電圧表示モジュール１０２と接続して第１出力電圧Ｖ１を出力する電池１０１を有する。ソーラー給電装置は、少なくとも１つのソーラーパネル２１及び電圧表示制御装置２２を有する。ソーラーパネルは、太陽エネルギーを第２出力電圧Ｖ２に変更して出力する。電圧表示制御装置は、第２電圧調整モジュール２２１及び第２電圧表示制御モジュール２２２を有する。第２電圧表示制御モジュールは、第２電圧調整モジュールによって制御され、第２出力電圧を表示し、且つ、動態対比部を有する。動態対比部は、所定電圧を設定できる。電池の電圧が所定電圧より低い場合、第２出力電圧によって電池を充電し、高い場合、第２出力電圧から電池への充電を中止する。【選択図】図１
2019118253.tif 000002
【特許請求の範囲】
【請求項１】
少なくとも１つの電装設備に給電するためのソーラーモバイル電子装置であって、
電力供給装置及びソーラー給電装置を含み、
前記電力供給装置は、第１電圧表示モジュールと電気的に接続して第１出力電圧を出力する電池を有し、
前記第１電圧表示モジュールは、前記第１出力電圧を測定して表示し、
前記ソーラー給電装置は、少なくとも１つのソーラーパネル及び電圧表示制御装置を有し、
前記ソーラーパネルは、前記電圧表示制御装置と電気的に接続して太陽エネルギーを第２出力電圧に変更して出力し、
前記電圧表示制御装置は、第２電圧調整モジュール及び第２電圧表示制御モジュールを有し、
前記第２電圧表示制御モジュールは、前記第１電圧表示モジュールと電気的に接続し、前記第２電圧調整モジュールによって制御され、前記第２出力電圧を表示し、動態対比部を有し、
前記動態対比部は、所定電圧を設定でき、
前記電池の電圧が前記所定電圧より低い場合、前記第２出力電圧によって前記電池を充電し、
前記電池の電圧が前記所定電圧より高い場合、前記第２出力電圧から前記電池への充電を中止することを特徴とする、
ソーラーモバイル電子装置。
【請求項２】
前記電池は鉛蓄電池又はリチウム電池であることを特徴とする、請求項１に記載のソーラーモバイル電子装置。
【請求項３】
前記第２電圧調整モジュールは、電圧上昇部、電圧降下部及び電圧安定部を有し、前記電圧上昇部、前記電圧降下部及び前記電圧安定部の組み合わせによって前記第２出力電圧を調整することを特徴とする、請求項１に記載のソーラーモバイル電子装置。
【請求項４】
車、船、ドローンのような航海、陸地又は航空用モバイル電子装置に用いられることを特徴とする、請求項１に記載のソーラーモバイル電子装置。
【発明の詳細な説明】
【技術分野】
【０００１】
本発明は、モバイル電子装置、特に太陽エネルギーを利用し、航海、陸地又は航空用モバイル電子装置に用いられるソーラーモバイル電子装置に関する。
【背景技術】
【０００２】
現在のソーラーモバイル電子装置としては、太陽エネルギーを電力に変更して電池を充電する装置が知られている。
【発明の概要】
【発明が解決しようとする課題】
【０００３】
しかしながら、現在の充電システムは、電池が給電する際にも電池に対して充電するため、電池の給電安定性に影響する以外、電池の寿命が短くなる。上記欠点を改善するために、本発明者は、電池の充放電のタイミングを有効に制御し、電池の寿命が伸びる効果を達成することで、現在の製品の欠点を改善してその効果を向上できる、ソーラーモバイル電子装置を発明した。
【０００４】
本発明の目的は、航海、陸地又は航空用ソーラーモバイル電子装置を提供することである。
【課題を解決するための手段】
【０００５】
本発明のソーラーモバイル電子装置は、少なくとも１つの電装設備に給電し、電力供給装置及びソーラー給電装置を含み、電力供給装置は、第１電圧表示モジュールと電気的に接続して第１出力電圧を出力する電池を有し、第１電圧表示モジュールは、第１出力電圧を測定して表示し、ソーラー給電装置は、少なくとも１つのソーラーパネル及び電圧表示制御装置を有し、ソーラーパネルは、電圧表示制御装置と電気的に接続して太陽エネルギーを第２出力電圧に変更して出力し、電圧表示制御装置は、第２電圧調整モジュール及び第２電圧表示制御モジュールを有し、第２電圧表示制御モジュールは、第１電圧表示モジュールと電気的に接続し、第２電圧調整モジュールによって制御され、第２出力電圧を表示し、且つ動態対比部を有し、動態対比部は、所定電圧を設定できる。電池の電圧が所定電圧より低い場合、第２出力電圧によって電池を充電する。電池の電圧が所定電圧より高い場合、第２出力電圧から電池への充電を中止する。
【０００６】
上記ソーラーモバイル電子装置において、電池は鉛蓄電池又はリチウム電池である。
【０００７】
上記ソーラーモバイル電子装置において、第２電圧調整モジュールは、電圧上昇部、電圧降下部及び電圧安定部を有し、電圧上昇部、電圧降下部及び電圧安定部の組み合わせによって第２出力電圧を調整する。
【０００８】
上記ソーラーモバイル電子装置は、車、船、ドローンのような航海、陸地又は航空用モバイル電子装置に用いられる。
【発明の効果】
【０００９】
本発明のソーラーモバイル電子装置は、電池の充放電のタイミングを高精度に切り替えることで電池を使用しながら充電することを避けて、電池の給電電圧の安定性を維持でき、異なる電池に対して第２出力電圧を調整する上で充電を行うので、電池の寿命を有効に延ばすことができる。
【図面の簡単な説明】
【００１０】
【図１】本発明の全体概略図である。
【図２】本発明の各部の構成を示す図である。
【発明を実施するための形態】
【００１１】
図１は本発明の全体概略図である。図２は本発明の各部の構成を示す図である。同図を参照すると、本発明のソーラーモバイル電子装置は、電装設備３０に給電するために用いられ、電力供給装置１０及びソーラー給電装置２０を含む。
【００１２】
電力供給装置１０は、第１電圧表示モジュール１０２と電気的に接続して第１出力電圧Ｖ１を出力する電池１０１を有する。第１電圧表示モジュール１０２は第１出力電圧Ｖ１を測定して表示する。
【００１３】
ソーラー給電装置２０は、少なくとも１つのソーラーパネル２１及び電圧表示制御装置２２を有する。ソーラーパネル２１は、電圧表示制御装置２２と電気的に接続し、太陽エネルギーを第２出力電圧Ｖ２に変更して出力する。電圧表示制御装置２２は、第２電圧調整モジュール２２１、及び第２電圧表示制御モジュール２２２を有する。
【００１４】
第２電圧調整モジュール２２１は、第２電圧Ｖ２を調整する機能、及び電圧を安定させる機能を有する。
【００１５】
第２電圧表示制御モジュール２２２は、第２電圧調整モジュール２２１と電気的に接続し、第２電圧調整モジュール２２１によって第２出力電圧Ｖ２を制御し、且つ動態対比部２２２１を有する。動態対比部２２２１は所定電圧を設定できる。
【００１６】
ここで、電池１０１の電圧が所定電圧より低い場合、第２出力電圧Ｖ２によって電池１０１を充電する。電池１０１の電圧が所定電圧より高い場合、第２出力電圧Ｖ２から電池１０１への充電を中止する。
【００１７】
図２は本発明の各部の構成を示す図である。第２電圧調整モジュール２２１は、電圧上昇部Ａ、電圧降下部Ｂ及び電圧安定部Ｃを有し、電圧上昇部Ａ、電圧降下部Ｂ及び電圧安定部Ｃの組み合わせによって第２出力電圧Ｖ２の出力を調整できる。
【００１８】
上記電池１０１は鉛蓄電池又はリチウム電池である。
【００１９】
上記ソーラーモバイル電子装置は、車、船、ドローンのような航海、陸地又は航空用モバイル電子装置に幅広く利用できる。
【００２０】
以上のとおり、本発明の好適な実施形態を説明したが、本発明の技術範囲は上記実施の形態に限定されるものではなく、当業者であれば本発明の趣旨を逸脱しない範囲において変更や修飾を加えることが可能である。
【符号の説明】
【００２１】
１０  電力供給装置
１０１  電池
１０２  第１電圧表示モジュール
２０  ソーラー給電装置
２１  ソーラーパネル
２２  電圧表示制御装置
２２１  第２電圧調整モジュール
２２２  第２電圧表示制御モジュール
２２２１  動態対比部
３０  電装設備
Ａ  電圧上昇部
Ｂ  電圧降下部
Ｃ  電圧安定部
Ｖ１  第１出力電圧
Ｖ２  第２出力電圧
【図１】
2019118253.tif 000003
【図２】
2019118253.tif 000004